(57)【要約】  照明器具は、ライトモジュールを含み、ライトモジュールは、第１の音響パネル、第２の音響パネル、及び、第１の音響パネルと第２の音響パネルとの間に配置されるライトガイドを含む。ライトガイドは、第１の音響パネル及び第２の音響パネルから延びることができる。フレームが、第１の音響パネルと第２の音響パネルとの間に配置され、ライトモジュール内でライトガイドのエッジを固定する。発光ダイオードが、フレーム内に位置し、ライトガイドのエッジに光を放射するように向けられる。
2021523525.tif 000002
【特許請求の範囲】
【請求項１】
ライトモジュールを備える照明器具であって、前記ライトモジュールは、
第１の広い部分及び第１の狭い部分を有する第１の音響パネルと、
第２の広い部分及び第２の狭い部分を有する第２の音響パネルと、
前記第１の音響パネルと前記第２の音響パネルとの間に位置するライトガイドであって、前記ライトガイドは、前記第１の狭い部分に隣接して前記第１の音響パネルから延び、前記第２の狭い部分に隣接して前記第２の音響パネルから延びる、ライトガイドと、
前記第１の音響パネルと前記第２の音響パネルとの間に配置されるフレームであって、前記フレームは、前記ライトガイドのエッジを固定する、フレームと、
前記フレーム内に位置し、前記ライトガイドの前記エッジに隣接する１つ以上の発光ダイオード（ＬＥＤ）であって、前記１つ以上のＬＥＤは、前記ライトガイドの前記エッジに光を放射するように向けられる、１つ以上の発光ダイオードと、
を備える、照明器具。
【請求項２】
前記ライトモジュールは、複数のライトモジュールのうちの１つであり、前記複数のライトモジュールは、少なくとも１つのレールによってつながれる、請求項１に記載の照明器具。
【請求項３】
当該照明器具は、前記少なくとも１つのレールによって吊り下げられるように構成される、請求項２に記載の照明器具。
【請求項４】
前記複数のライトモジュールは、並列に配設される、請求項２に記載の照明器具。
【請求項５】
フィラーパネルを備える、請求項１に記載の照明器具。
【請求項６】
前記フィラーパネルは、前記第１の広い部分及び前記第２の広い部分に隣接して前記第１の音響パネルと前記第２の音響パネルとの間に配置される、請求項５に記載の照明器具。
【請求項７】
前記フィラーパネルは、前記第１の音響パネル及び前記第２の音響パネルと同じ材料で作られる、請求項５に記載の照明器具。
【請求項８】
前記１つ以上の発光ダイオードは、前記フレーム内の回路基板に設けられる、請求項１に記載の照明器具。
【請求項９】
前記１つ以上の発光ダイオードは、低電圧電力ケーブルに電気的に結合される、請求項１に記載の照明器具。
【請求項１０】
前記低電圧電力ケーブルは、パワーサプライに結合されるように構成される、請求項９に記載の照明器具。
【請求項１１】
前記パワーサプライは、天井内に配置されるように構成される、請求項１０に記載の照明器具。
【請求項１２】
前記第１の音響パネル及び前記第２の音響パネルは、コルク、フェルト、フォーム、及びポリエチレンテレフタレートのうちの１つ以上を含む、請求項１に記載の照明器具。
【請求項１３】
前記第１の音響パネル及び前記第２の音響パネルの少なくとも一方は、外面に三次元パターンを含む、請求項１に記載の照明器具。
【請求項１４】
前記ライトガイドは、前記エッジに対向する第２のエッジを備え、前記第２のエッジは、ディフューザでカバーされる、請求項１に記載の照明器具。
【請求項１５】
前記ライトガイドは、前記エッジに対向する第２のエッジを備え、前記第２のエッジは、リフレクタでカバーされる、請求項１に記載の照明器具。
【発明の詳細な説明】
【技術分野】
【０００１】
本技術の実施形態は、一般に、照明システムに関し、とりわけ、制音(sound dampening)を提供する吊下ライトガイド照明器具に関する。
【背景技術】
【０００２】
白熱光源及び蛍光光源と比較して、発光ダイオード（ＬＥＤ）は、エネルギ効率、光の質、コンパクトなサイズに関連する実質的な潜在的利益を提供する。しかしながら、照明システムでの使用にＬＥＤを適用することは、課題及び機会の両方を提供する。一例として、ＬＥＤは、ＬＥＤからの光が、エリアを照らすための光を分配するために光学材料のパネルに方向付けられる、エッジライト(edge-lit)ソリューションで使用されることができる。これらのタイプのエッジライト照明システムは、エリアを照らすための、並びに、他の特徴及び利益を提供するための様々な機会を提供する。
【発明の概要】
【０００３】
ある例示的な実施形態では、本開示は、ライトモジュールを備える照明器具を提供する。ライトモジュールは、第１の広い部分(wide portion)及び第１の狭い部分(narrow portion)を有する第１の音響パネルを備える。ライトモジュールはさらに、第２の広い部分及び第２の狭い部分を有する第２の音響パネルを備える。ライトモジュールはさらに、第１の音響パネルと第２の音響パネルとの間に位置するライトガイドを備え、ライトガイドは、第１の狭い部分に隣接して第１の音響パネルから延び、第２の狭い部分に隣接して第２の音響パネルから延びる。第１の音響パネルと第２の音響パネルとの間に配置されるフレームが、ライトモジュール内のライトガイドのエッジを固定する。１つ以上のＬＥＤが、フレーム内に位置し、ライトガイドのエッジに隣接し、ライトガイドに光を放射するように向けられる(oriented)。照明器具は、単一のライトモジュール、又はレールによってつなぎ合わされる複数のライトモジュールを備えることができる。第１の音響パネル及び第２の音響パネルは、吸音材料から作られることができる。代替的に、第１の音響パネル及び第２の音響パネルは、パネルの外面に取り付けられる吸音材料又は吸音機能を有することができる。
【０００４】
別の例示的な実施形態では、本開示は、ライトモジュールを備える照明器具を提供する。ライトモジュールは、スロットを有する音響パネルハウジングを備える。ライトガイドが、スロットに位置し、音響パネルハウジングから延びる。音響パネルハウジング内に配置されるフレームが、音響パネルハウジング内のライトガイドのエッジを固定する。１つ以上のＬＥＤが、フレーム内に位置し、ライトガイドのエッジに隣接し、１つ以上のＬＥＤは、ライトガイドのエッジに光を放射するように向けられる。照明器具は、単一のライトモジュール、又はレールによってつなぎ合わされる複数のライトモジュールを備えることができる。音響パネルハウジングは、吸音材料から作られることができる。代替的に、音響パネルハウジングは、音響パネルハウジングの外面に取り付けられる吸音材料又は吸音機能を有することができる。
【０００５】
これらの及び他の態様及び実施形態は、以下の説明、添付の特許請求の範囲及び添付の図面から明らかになるであろう。
【図面の簡単な説明】
【０００６】
以下、添付の図面を参照する。
【図１】本開示の例示的な実施形態による吊下照明器具の上面斜視図である。
【図２】本開示の例示的な実施形態による吊下照明器具の底面斜視図である。
【図３】本開示の例示的な実施形態による吊下照明器具の分解部分図である。
【図４】本開示の例示的な実施形態による吊下照明器具の別の分解部分図である。
【図５】本開示の例示的な実施形態による吊下照明器具の断面部分図である。
【発明を実施するための形態】
【０００７】
図面は、例示的な実施形態のみを示しており、他の同様に効果的な実施形態が本開示の範囲及び精神の範囲内にあるため、述べられる実施形態を限定するものと考えられるべきではない。図面に示される要素及び特徴は、必ずしも縮尺通りに描かれているわけではなく、代わりに、実施形態の原理を明確に示すことに重点が置かれている。さらに、特定の寸法又は位置は、ある原理を視覚的に伝えるのに役立つように誇張されている場合がある。図面において、異なる図の間の類似した参照数字は、類似又は対応するが、必ずしも同一ではない要素を示す。
【０００８】
本明細書で述べられる例示的な照明器具は、天井又は他の取付構造から吊り下げられる照明器具において１つ以上のライトガイドを使用する。さらに述べられるように、本明細書で述べられる例示的な照明器具は、追加の利益を提供する。一例として、照明器具は、様々なレベルの光を提供する能力を有する１つ以上のライトガイドを収容するようにカスタマイズされることができる。
【０００９】
別の例示的な利益は、照明器具が、音を吸収するために使用される１つ以上の音響パネル又は機能を備えることができることである。一般的なオープンオフィススペース及び他のボリュームのある空間は、占有者のために音響特性を改善する天井及び壁等の機械的機能を欠いていることが多い。音響バッフル及びパネルは、壁及び天井に付加されることができるが、それに伴うコストは非常に高くつき得る。さらに、このような音響バッフル及びパネルは美観的に美しくないことが多い。照明器具が、音響バッフルを取り付ける又は組み込むためのユニークな機会を提供し、それによって、壁及び天井に音響バッフルを付加する必要性を排除する。
【００１０】
本開示に述べられる例示的な吊下照明器具は、光を透過するためのライトガイドを使用する。ライトガイドは、平坦又は湾曲していてもよく、内部反射性を有する２つの主面を有する、パネル、スラブ、プレート、又は関連する形態を有することができる。光は、これら主面が光を第２のエッジに向けて案内するように、ライトガイドの第１のエッジからライトガイドに導入されることができる。主面のうちの１つ又は両方は、エリアを照らすためにライトガイドを流れる光の制御された解放(controlled release)を提供する機能を有することができる。斯くして、光は、２つの主面からの内部反射を介してライトガイド内を伝搬し、光源エッジから対向するエッジに向かって進み、照明光は、主面を介してライトガイドから脱出することができる。光源は、光源が第１のエッジを介してライトガイド内に光を放射するように、ライトガイドの第１のエッジに隣接して位置付けられることができる。代替的な実施形態では、追加のＬＥＤが、ライトガイドの１つ以上の他のエッジに隣接して位置することにより、他のエッジからライトガイド内に光を向けることができる。さらなる他の代替的な実施形態では、ライトガイドのエッジに隣接してＬＥＤを位置付ける代わりに、特定のエッジが、ライトガイドの１つ以上のエッジに隣接して位置するリフレクタを有し、リフレクタは、ライトガイドのエッジから出る光をライトガイドのエッジに反射して戻すことができる。さらに他の代替的な実施形態では、特定のエッジが、ライトガイドの１つ以上のエッジに隣接して位置するディフューザを有し、ディフューザは、ライトガイドのエッジを出る光を拡散するように作用することができる。ＬＥＤは、ライトガイドと共に使用され得る光源の一例であり、ディスクリートＬＥＤ、ＬＥＤのアレイ、及びチップオンボードＬＥＤを含むが、これらに限定されない。他の実施形態では、有機ＬＥＤ等の代替的な光源が使用されることができる。
【００１１】
本明細書で述べられる例示的な実施形態は、任意のタイプの照明器具で使用されることができる。添付の図に示される例は吊下照明器具であるが、代替的な実施形態では、照明器具は、他の例として、直線状照明器具(linear light fixture)、表面取り付け照明器具(surface mounted fixture)、トロファ(troffer)、キャビネット下の照明器具(under cabinet light fixture)、テーブルランプ、投光器、スポットライト、建築用ライト(architectural light)、又はハイベイ照明器具であり得る。例示的な実施形態は、新しい照明器具と共に使用されることができ、又は既存の照明器具に後付けされることができる。さらに、例示的な実施形態が使用され得る照明器具は、任意の環境（例えば、屋内、屋外、高湿度、低温、無菌、高振動）に位置することができる。
【００１２】
ここで、図１及び図２を参照すると、例示的な吊下照明器具１００が図示されている。吊下照明器具１００は、レール１０２、１０４に取り付けられる一連の６つのライトモジュール１０６、１０８、１１０、１１２、１１４、１１６を備える。６つのライトモジュールは各々、上述したライトガイド等のそれぞれのライトガイド１０７、１０９、１１１、１１３、１１５、１１７を有する。例示的な照明器具１００では、一連の６つのライトモジュールは、各ライトモジュールが他のライトモジュールと並列になるようにレールに装着される。レール１０２、１０４は、天井、梁、又は他の支持構造物に留め具を用いて直接取り付けられることができる。代替的に、ケーブル、アタッチメントロッド、又は他の取り付け機構が、レール１０２、１０４を天井、梁、又は他の支持構造に接続することができる。照明器具１００を吊り下げるためにケーブルが使用される場合、ケーブルは、吊下照明器具１００で使用される１つ以上のＬＥＤに電力を供給するためにも使用されることができる。設置されると、吊下照明器具１００のライトガイドは、吊下照明器具１００の下方のエリアを照らすために光を発する一方、照明器具１００の音響機能(acoustic feature)（後述）は、音を吸収又は反射することができる。
【００１３】
一例では、ドライバ、バラスト、変圧器、ステップダウンコンバータ、又は整流器等のパワーサプライは、天井に取り付けられる、又は照明器具１００が取り付けられる天井の背後のプレナム空間内に取り付けられることができる。また、パワーサプライは、取付構造に取り付けられ得る取付ボックス内に位置することができる。パワーサプライは、電力グリッド(electrical power grid)又は再生可能電源(renewable power source)等のパワーソースから電力を受けるためのｃｌａｓｓ １接続（例えば、ＡＣ１２０Ｖ、ＡＣ２２０Ｖ）を有することができる。パワーサプライは、パワーソースから受ける電力を修正することができ、照明器具１００を吊り下げるケーブルに結合するための低電圧接続（例えば、ｃｌａｓｓ ２接続、ＤＣ２４Ｖ）を有することができる。照明器具を吊り下げるケーブルは、パワーサプライからの低電圧電力を１つ以上のＬＥＤに供給することができる。照明器具１００を吊り下げるケーブル又は他の取り付け機構が電力を供給しない別の代替案として、別個の低電圧電力ケーブルが、パワーサプライから照明器具１００のＬＥＤに電力を供給することができる。
【００１４】
図１及び２に示される例示的な照明器具１００は、互いに並列に取り付けられる６つのライトモジュールを備えるが、他の実施形態では、より少ない又はより多くのライトモジュールが照明器具で使用され得ることが理解されるべきである。例えば、あるエリアでより多い又はより少ない光が必要とされる場合、レール１０２、１０４に取り付けられるライトモジュールの数は増加又は減少されることができる。特定の例示的な実施形態では、単一のライトモジュールのみが照明器具内で使用されてもよい。さらに、照明器具のライトモジュールは、並列以外のパターンで構成されることができる。
【００１５】
図３及び図４は、照明器具１００の構成要素をより詳細に示す分解部分図である。図３及び図４に示されるように、各ライトモジュールは、複数の構成要素を備える。例示的なライトモジュールの複数の構成要素の以下の説明は、照明器具の各ライトモジュールに適用することができる。一例としてライトモジュール１１２を参照すると、ライトモジュールは、第１の音響パネル１２０及び第２の音響パネル１２１を備える。図１に示されるように、例示的な照明器具１００の各ライトモジュールは、長さ１４０、高さ１４２、及び厚さ１４４を有する。ライトモジュール１１２の長さ１４０に沿って、第１の音響パネル１２０及び第２の音響パネル１２１の高さは、ライトガイドのブロードサイド(broad side)を完全に覆う広い部分(wide portion)から、ライトガイドのブロードサイドの一部を露出させる狭い部分(narrow portion)に変化する。換言すれば、第１の音響パネル１２０は、第１の広い部分及び第１の狭い部分を有する。同様に、第２の音響パネル１２１は、第２の広い部分及び第２の狭い部分を有する。図示のように、ライトガイドの一部は露出し、第１の音響パネル１２０の狭い部分及び第２の音響パネル１２１の狭い部分に隣接してライトモジュール１１２から延びている。ライトガイド１１３は、第１の音響パネル１２０と第２の音響パネル１２１との間に配置され、ライトガイド１１３の少なくとも１つのエッジは、第１の音響パネル１２０と第２の音響パネル１２１との間に位置するフレーム１２５によって固定される。
【００１６】
代替的な実施形態では、音響パネルは、他の形状又は構成を有することができる。例えば、例示的な照明器具１００は、あるライトモジュールの音響パネルの狭い部分が照明器具１００の一方の側にあり、次のライトモジュールの音響パネルの狭い部分が照明器具１００の反対側にあるように配列されている。この交互パターンの結果、ライトガイドは、あるライトモジュールから次のライトモジュールへと照明器具１００の交互のサイドで露出する。照明器具の代替的な実施形態では、ライトガイドの露出部分は、照明器具１００に示されたものとは異なることができる。例えば、一実施形態では、ライトガイドの均一な部分がライトモジュールの長さに沿って露出するように、各音響パネルの高さは、音響パネルの長さに沿って一定であり得る。
【００１７】
第１の音響パネル１２０及び第２の音響パネル１２１は、音を吸収することができ、これは、大きな開放されたエリア又は著しい騒音のあるエリアにおいて有益であり得る。音響パネルは、フォーム、コルク、フェルト、ポリエチレンテレフタレート等の様々なポリマー、又は他の多孔質材料等、音を吸収するのに有効であることが知られている様々な材料のうちの１つ以上から作られることができる。音響パネルは、異なる材料の複数の層を有することができ、層は、接着剤、留め具、又は熱成形プロセスを含む様々な手段のうちの任意のものによって接合されることができる。また、音響パネルの内面、外面、又は内面と外面の両方は、音を吸収する際の音響パネルの効果を増大させることができる三次元パターン又は機能（例えば、リブ、突起、テクスチャ）を有することができる。代替的な実施形態では、第１の音響パネル１２０及び第２の音響パネル１２１は、異なる形状を有することができ、又は、そこからライトガイドが延びる複数の狭い部分及び複数の広い部分を有することができる。代替的な実施形態では、ライトガイドはまた、異なる形状を有することができる。
【００１８】
ライトモジュール１１２はまた、第１の音響パネル１２０と第２の音響パネル１２１との間に配置されるオプションのフィラーパネル１２２を有する。ライトガイド１１３は、第１の音響パネル１２０及び第２の音響パネル１２１の全長を延びていないので、オプションのフィラーパネル１２２は、ライトモジュール１１２のライトガイド１１３が存在しない残りの長さについて、第１の音響パネル１２０と第２の音響パネル１２１との間の隙間を埋める。代替的な実施形態では、ライトモジュール１１２は、オプションのフィラーパネル１２２なしで形成されることができる。オプションのフィラーパネル１２２は、第１及び第２の音響パネルと同じ材料、又は代替材料で構成されることができる。
【００１９】
図３及び図４の分解図はまた、フレーム１２５内に配置されるＬＥＤアレイ１２８を示す。ＬＥＤアレイ１２８は、回路基板に載置されることができ、回路基板は、先に述べた低電圧電力ケーブルに電気的に結合されることができる。代替的に、吊りケーブルがまた、照明器具１００に電力を供給する例では、回路基板は、吊りケーブルに電気的に結合されることができる。特定の実施形態では、レール１０２、１０４及び／又はフレーム１２５は、プラスチック等の電気的に絶縁性の材料で作られる場合有益であり得る。ＬＥＤアレイ１２８は、ＬＥＤアレイ１２８から放射された光がライトガイド１１３の狭いエッジに向けられるように、ライトガイド１１３の狭いエッジに隣接して位置付けられることができる。照明光は、ライトガイド１１３のブロードサイド面の一方又は両方からライトガイド１１３を出ることができる。特定の実施形態では、ライトモジュール１１２から露出するライトガイド１１３の狭いエッジは、反射材料又は拡散材料でカバーされることができる。
【００２０】
図５は、照明器具１００の一部の断面図を示す。図５に示されるように、６つのライトモジュールの向きは、照明器具の交互の端部において露出するライトガイドと交互になっているが、各ライトモジュールの断面構成は、概ね一致している。例としてライトモジュール１１２を参照すると、第１の音響パネル１２０及び第２の音響パネル１２１は、接着剤又は様々な機械的留め具の任意のものを使用して接合されることができる。ライトガイドは、第１の音響パネル１２０と第２の音響パネル１２１との間に挟まれた状態で見ることができる。また、断面において、フレーム１２５、及び、フレーム内に配置され、ライトガイドの長いエッジに隣接するＬＥＤアレイ１２８が見える。同様に、ライトガイド１１１、フレーム１３０及びＬＥＤアレイ１３２が、ライトモジュール１１０に見ることができる。
【００２１】
代替例では、第１及び第２の音響パネルの代わりに、ライトモジュールは、ライトガイドが置かれるスロットを有する単一の音響パネルハウジングを有することができる。前述の別個の音響パネルと同様に、音響パネルハウジングは、吸音材料から作られることができる。音響パネルハウジングは、別個の音響パネルの代わりに、単一の構成要素であることができる。代替例では、音響パネルハウジングは、異なる材料で構成されてもよく、吸音材料又はパターンが、音響パネルハウジングの外側に置かれてもよい。さらに、代替例では、ライトガイドは、音響パネルに沿って異なる位置に位置付けられることができ、又は音響パネルに沿って複数の位置から延びてもよい。
【００２２】
上述したように、本明細書で述べられる吊下照明器具は、いくつかの利益を提供する。パワーオンされると、ライトモジュールのＬＥＤは、ライトガイドに光を向けることができ、照明光は、ライトガイドのブロードサイド面の一方又は両方、及び、オプションで、ライトモジュールの外側に露出しているライトガイドの狭いエッジを出ることができる。吊下照明器具１００は、音響パネルが、照明器具が設置されるエリア内の不要なノイズを吸収することができるという点で、さらなる利益を提供する。代替的な実施形態では、音響パネルは、その吸音特性の有効性を変更するために他の形状又は位置を有することができる。
【００２３】
代表的な実施形態が、本技術の実施形態を例示する添付の図面を参照して本明細書で述べられている。しかしながら、本技術は、多くの異なる形態で具現化されてもよく、本明細書で述べられる実施形態に限定されると解釈されるべきではなく、むしろ、これらの実施形態は、本開示が完全なもの(thorough and complete)となるように提供され、当技術に適切に熟練した者に本技術の範囲を完全に伝えるであろう。
【００２４】
本明細書で述べられる任意の例示的な照明器具、又はその構成要素は、単一のピース（例えば、モールド、射出成形、ダイキャスト、３Ｄ印刷プロセス、押出プロセス、スタンピングプロセス、又は他のプロトタイプ方法からのもの等）から作られることができる。さらに、又は代替的に、例示的な照明器具（又はその構成要素）は、互いに機械的に結合される複数のピースから作られることができる。このような場合、複数のピースは、限定されるものではないが、エポキシ、溶接、はんだ付け、エッチング、締結デバイス、圧縮嵌め、メイティングスレッド、タブ、及びスロット嵌め(slotted fitting)を含む、多くの結合方法のうちの１つ以上を使用して、互いに機械的に結合されることができる。互いに機械的に結合される１つ以上のピースは、限定されるものではないが、固定的に、ヒンジ式に、取り外し可能に、スライド可能に、及びネジ式にを含む、多くの方法のうちの１つ以上で互いに結合されることができる。
【００２５】
本明細書で述べられる構成要素及び／又は機能は、結合、締結、固定、当接、又は他の類似の用語として述べられる要素を含むことができる。そのような用語は、単にコンポーネント又はデバイス内の様々な要素及び／又は機能を区別することを意味しており、その特定の要素及び／又は機能の能力又は作用を制限することを意味するものではない。例えば、「結合機能」として述べられる機能は、結合、固定、締結、当接、及び／又は単に結合するだけでなく他の役割を果たすことができる。
【００２６】
本明細書で述べられるような結合機能（相補的な結合機能を含む）は、例示的な照明器具の１つ以上の構成要素及び／又は部分が、直接的又は間接的に、例示的な照明器具の別の部分及び／又は何らかの外部構成要素（例えば、壁、天井）に結合されるようになることを可能にする。結合機能には、スナップ、クランプ、ヒンジの一部、開口、凹部、突部、スロット、スプリングクリップ、タブ、デテント、及びメイティングスレッドが含まれることができるが、これらに限定されるものではない。例示的な照明器具のある部分は、１つ以上の結合機能を直接使用することにより例示的な照明器具の別の構成要素又は外部構成要素に結合されることができる。
【００２７】
さらに、又は代替的に、例示的な照明器具の一部分は、例示的な照明器具上に配置される１つ以上の結合機能と相互作用する１つ以上の個別のデバイスを使用して照明器具の別の部分又は別の構成要素に結合されることができる。そのようなデバイスの例には、ピン、ヒンジ、締結デバイス（例えば、ボルト、ネジ、リベット）、エポキシ、シール部材（例えば、Ｏリング、ガスケット）、接着剤、粘着剤、テープ、及びバネが含まれることができるが、これらに限定されるものではない。本明細書で述べられるある結合機能は、本明細書で述べられる１つ以上の他の結合機能と同じものであってもよく、又は異なるものであってもよい。本明細書で述べられる（対応する結合機能と呼ばれることもある）相補的な結合機能は、別の結合機能と直接的又は間接的に機械的に結合する結合機能であり得る。
【００２８】
図の構成要素が述べられているが、その図に明示的に示されていない又はラベル付けされていない場合、別の図の対応する構成要素に使用されているラベルは、その構成要素に類推されることができる。逆に、図の構成要素がラベル付けされているが、述べられていない場合、そのような構成要素のための記述は、別の図の対応する構成要素のための記述と実質的に同じであり得る。図の様々な構成要素のための番号付けスキームは、各構成要素が３桁の数字であり、他の図の対応する構成要素は、同一の最後の２桁を有するようなものである。本明細書に示され、述べられている任意の図について、構成要素のうちの１つ以上は、省略、追加、繰り返し、及び／又は置換されてもよい。したがって、特定の図に示された実施形態は、そのような図に示された構成要素の特定の構成に限定されると考えられるべきではない。
【００２９】
さらに、（例えば、図に示されているような）特定の実施形態が特定の特徴又は構成要素を有していないことの言及は、明示的に言及されていない限り、そのような実施形態がそのような特徴又は構成要素を有することができないことを意味するものではない。例えば、現在又は将来の請求項の目的のために、１つ以上の特定の図面に示された例示的な実施形態には含まれていないように述べられている特徴又は構成要素は、そのような１つ以上の特定の図面に対応する１つ以上の請求項に含まれることが可能である。
【００３０】
本明細書で述べられた開示の多くの修正及び他の実施形態は、前述の説明及び関連する図面に与えられた教示の恩恵を受けて、これらの開示が関連する当業者に思い浮かぶであろう。したがって、本開示は、開示された特定の実施形態に限定されるものではなく、修正及び他の実施形態が本願の範囲内に含まれることが意図されていることが理解されるべきである。特定の用語が本明細書で採用されているが、それらは一般的且つ記述的な意味でのみ使用されており、限定の目的ではない。
【図１】
2021523525.tif 000003
【図２】
2021523525.tif 000004
【図３】
2021523525.tif 000005
【図４】
2021523525.tif 000006
【図５】
2021523525.tif 000007
【国際調査報告】
2021523525.tif 000008
2021523525.tif 000009